(57)【要約】【課題】既存のシステムを簡単且つ安価に高出力化すると共に，過電流を検出する。【解決手段】受信増幅部と電力増幅部との間に電源部を介設する。該電源部は電力増幅部に駆動電源を供給すると共に，受信増幅部からの制御電圧を検出する検出回路と，制御電圧を分圧する抵抗と，駆動電源の出力電流の検出回路を備える。制御電圧の検出回路の判定基準を前記制御電圧の略４分の１とし，これを越えたのなら電源部から駆動電源が出力され，下回ったら電源部からの駆動電源は停止される。また，この出力に過電流が検出されたのなら前記分圧抵抗比を変えて，制御電圧が所定電圧の略２分の１となるようにする。更に受信増幅部にはここから出力される制御電圧を検出する検出回路を備え，この検出回路における制御電圧が所定電圧の略４分の３より下回ったら受信増幅部に備えた表示手段を表示する。【選択図】  図３
2006165692.tif 000002
【特許請求の範囲】
【請求項１】
衛星からの電波を受信し，受信した電波より低い第１の周波数帯に変換して出力する受信アンテナと，前記第１の周波数帯を，衛星からの電波より低く前記第１の周波数帯より高い第２の周波数帯に変換並びに処理する信号処理部と，前記信号処理部の出力信号を増幅して出力すると共に電力増幅部の動作用の直流電源を送出するための直流電源生成手段を備えた受信増幅部と，該受信増幅部から離れた場所に設置され，前記受信増幅部からの信号を増幅する電力増幅部と，該電力増幅部の出力信号を送信する送信アンテナとから成り，前記受信増幅部と前記電力増幅部との間に介設された同軸ケーブルには，前記受信増幅器から出力される高周波信号と共に，前記受信増幅部に備えた前記直流電源生成手段において生成された直流電源が伝送され，該直流電源は前記信号処理部において供給するか供給しないかを選択的に制御できるようにした再送信装置において，
前記受信増幅部には，
第１の直流電源生成手段と，
この直流電源生成手段に接続された第１の抵抗と，該抵抗を介して出力される直流制御電源を通過させるか通過させないかを選択的に切替るための第１の切替手段と，
前記直流制御電源を通過し前記高周波信号を阻止する第１のフィルタ回路と前記高周波信号を通過し前記直流制御電源を阻止する第２のフィルタ回路からなり，前記高周波回路と前記直流制御電源とを混合して前記同軸ケーブルに送出するための電源分離フィルタと，
前記第１の抵抗と第１の切替手段との相互接続点に接続されて，該接続点の直流制御電源電圧を検出する第１の検出回路と，
該第１の検出回路と接続されたパイロットランプ表示回路とパイロットランプとからなる表示回路と，を備え，
前記同軸ケーブルには，
前記高周波信号を通過し前記直流制御電源を阻止する第３のフィルタ回路と，前記直流制御電源を通過し前記高周波信号を阻止する第４のフィルタ回路とからなる入力側電源分離フィルタと，
前記第４のフィルタ回路の出力と接地線との間に直列に接続された第２及び第３の抵抗と，
前記第４のフィルタ回路の出力と前記第２の抵抗の相互接続点に接続されて，該接続点における直流制御電圧を検出する第２の検出回路と，
前記第２の抵抗と前記第３の抵抗との相互接続点と接地線との間に接続され，前記第２の抵抗と前記第３の抵抗との相互接続点と接地線とを短絡するか開放するかを切替する第３の切替手段と，
第２の直流電源生成手段と，
この直流電源生成手段に接続された第４の抵抗と，該抵抗を介して出力される直流駆動電源を通過するか通過しないかを切替える第２の切替手段と，
前記第４の抵抗に印加される電圧を検出する過電流検出回路と，
前記第３のフィルタ回路の出力に接続されて高周波信号を通過し前記直流駆動電源を阻止する第５のフィルタ回路と，前記第２の切替手段の出力に接続されて，前記直流駆動電源を通過し前記高周波信号を阻止する第６のフィルタ回路とからなり，前記高周波信号と前記直流駆動電源とを混合して出力する出力側電源分離フィルタとからなる電源部を介設され，
該電源部における前記第２の切替手段は，前記第２の検出回路において前記第４のフィルタ回路の出力と前記第２の抵抗の相互接続点における直流制御電圧が第２の基準電圧値より高いか低いかを検出・判定し，この直流制御電圧が基準値を越えないときはＯＦＦ，基準値を越えたときはＯＮとすることによって前記過電流検出回路を介して供給される前記第２の直流電源生成手段において生成された直流駆動電源を通過するように構成されると共に，前記記第３の切替手段は，前記過電流検出回路において前記第４の抵抗に印加される電圧が基準値より高いか低いかを検出・判定し，この印過電圧が基準値を超えないときはＯＦＦ，基準値を越えた時はＯＮとすることにより前記第２の抵抗と前記第３の抵抗との相互接続点と接地線と短絡するように構成され，
前記受信増幅器における前記第１の検出回路は，前記第１の抵抗の出力における直流制御電圧が第１の基準電圧値より高いか低いかを検出・判定し，この判定結果に基づいて前記表示回路を駆動するように構成され，
たことを特徴とした再送信装置。
【請求項２】
前記第２の基準電圧値は，前記前記第３の切替手段が前記第２の抵抗と前記第３の抵抗との相互接続点と接地線とを短絡した状態における直流制御電圧より低い電圧であり，
前記第１の基準電圧値は，前記前記第３の切替手段が前記第２の抵抗と前記第３の抵抗との相互接続点と接地線とを開放した状態における直流制御電圧より低い電圧であって，前記第３の切替手段が前記第２の抵抗と前記第３の抵抗との相互接続点と接地線とを短絡した状態における直流制御電圧より高い電圧であるように構成したことを特徴とした請求項１に記載の再送信装置。
【請求項３】
前記第２の基準電圧値は，前記第３の切替手段が前記第２の抵抗と前記第３の抵抗との相互接続点と接地線とを開放した状態における直流制御電圧の略４分の１であり，
前記第３の切替手段が前記第２の抵抗と前記第３の抵抗との相互接続点と接地線とを短絡した状態における直流制御電圧は，前記前記第３の切替手段が前記第２の抵抗と前記第３の抵抗との相互接続点と接地線とを開放した状態における直流制御電圧の略２分の１であり，
前記第１の基準電圧値は，前記前記第３の切替手段が前記第２の抵抗と前記第３の抵抗との相互接続点と接地線とを開放した状態における直流制御電圧の略４分の３である，
ように構成したことを特徴とした請求項１又は請求項２に記載の再送信装置。
【請求項４】
前記受信増幅部は複数の出力部を有した分配増幅部であるように構成され，前記受信増幅部から離れた場所に設置される複数の電力増幅部と夫々１対１で同軸ケーブルを介して接続できるように構成したことを特長とした請求項１乃至請求項３の何れかに記載の再送信装置。
【請求項５】
衛星からの電波を受信し，受信した電波より低い第１の周波数帯に変換して出力する受信アンテナと，前記第１の周波数帯を，衛星からの電波より低く前記第１の周波数帯より高い第２の周波数帯に変換並びに処理する信号処理部と，前記信号処理部の出力信号を増幅して出力すると共に電力増幅部の動作用の直流電源を送出するための直流電源生成手段を備えた受信増幅部と，該受信増幅部から離れた場所に設置され，前記受信増幅部からの信号を増幅する電力増幅部と，該電力増幅部の出力信号を送信する送信アンテナとから成り，前記受信増幅部と前記電力増幅部との間に介設された同軸ケーブルには，前記受信増幅器から出力される高周波信号と共に，前記受信増幅部に備えた前記直流電源生成手段において生成された直流電源が伝送され，該直流電源は前記信号処理部において供給するか供給しないかを選択的に制御できるようにした再送信システムにおいて，
請求項１乃至請求項４に記載の何れかに記載の再送信装置を用いたことを特徴とした再送信システム。
【発明の詳細な説明】
【技術分野】
【０００１】
本発明は，衛星からの電波を受信して，衛星からの電波が直接届かない場所に向かって再送信するギャップフィラー装置に代表される再送信装置に関するものである。
【背景技術】
【０００２】
現在，車などの移動体の中で高品質なディジタル放送を利用可能にするディジタル衛星放送システムが開始されようとしている。このシステムにおいては衛星からの電波が直接届かない場所に向けて再送信するギャップフィラー装置を設置する必要があり，その多くは高層ビルの屋上や山頂等に設置される。
このギャップフィラー装置の具体的な例を示す。衛星から送出されたＫｕバンドの信号は，高層ビルや鉄塔などの衛星に対して見通しの良い場所に設置された受信アンテナにおいて，９５０〜１４５０ＭＨｚの中間周波数帯に変換されてから信号処理部に入力される。この信号処理部では入力された信号を例えばＣＤＭ変調すると共にＳバンド（２．６ＧＨｚ）に変換される。
次に信号処理部から出力されたＳバンドの信号は受信増幅部において適宜増幅されるのであるが，この受信増幅器は前記Ｓバンドの信号をビル影等に再送信するための電力増幅部や送信アンテナとの間に介設する同軸ケーブルの損失を補償するためのものであると共に，前記受信増幅部に備えた直流電源生成手段において生成された直流電源を前記同軸ケーブルを介して前記電力増幅部等に給電するように構成されている。
同軸ケーブルを介して伝送されたＳバンドの信号は電力増幅器において所定レベルまで増幅された後にビル影等に向かって電波を前記送信アンテナから送信するのである。
更に，衛星からの電波が直接届かないエリアの形状が複雑な場合，再送信のための送信アンテナを複数箇所に設置する必要があり，この場合は受信増幅部で信号を分配して複数の電力増幅部を設けてシステムを構成するようにしている。
【０００３】
ところでこのような電力増幅部や送信アンテナはその目的から，ビル等の屋上から地上に向けて電波を送信する必要があり，電力増幅部や送信アンテナはビルの屋上の地上を見通せるような場所に設置する必要がある。従って作業が危険であったり，ビルの管理者に立ち入りの許可をもらったりすることが必要であったりで，容易に人が近づくことができないため，例えば前記受信増幅部には，該受信増幅部の出力端子に直流電源を出力するか出力しないかを選択的に切替えることができる切替スイッチを備えると共に，信号処理部と受信増幅部との間に介設された専用線を用いて，前記直流電源生成手段のＯＮ／ＯＦＦ制御を受信点の近傍におかれる前記信号処理部からの制御信号で行えるように構成されていた。更に言えば例えば信号処理部には，直流電源生成手段のＯＮ／ＯＦＦの制御ばかりでなく，後続の電力増幅部や送信アンテナの動作状態を監視・制御できるように構成されていると共に，該信号処理部から所定の通信網（例えば電話回線やインターネット回線）を介して遠隔地における保守センターからでも直流電源を監視・制御できるようにすることによって，前記切替スイッチをＯＮにしたり，例えば電力増幅部の故障等によって過電流を検出したのなら切替スイッチをＯＦＦにしたりできるように構成されていた。
（例えば，特許文献１参照）
【０００４】
【特許文献１】特開平２００３−０７８４９２号公報
【発明の開示】
【発明が解決しようとする課題】
【０００５】
しかし，従来のギャップフィラーシステムによると，設置場所の環境変化やサービスエリアの拡充に対応するためには，新たにギャップフィラー装置を設置する方法も考えられるが，送信アンテナからの送信電力を更に高出力にするといった方法が考えられる。ところがこのような高出力化には前記電力増幅部を高出力型にするのであるが，この場合に，該電力増幅部に供給される直流電源の電流容量を更に増やす必要が生じので，受信増幅器に備えた直流電源生成手段の電流容量では足りなくなるのである。従って直流電源生成手段の電流容量を増やことが必要になり，受信増幅器を新たに設計しなおす必要がある。また場合によっては電流容量の増大に対応するために直流電源生成手段を収納するスペースを大きくしたり，このために放熱の必要性が生じたりすることによって，筐体の外形寸法や放熱フィン等の形状を見直す必要が生じ，金型作成等の開発費がかかるといった問題があった。
更に既設のギャップフィラーシステムに対して変更することを考えると，高出力型の送信アンテナばかりでなく電流容量をアップした受信増幅器まで取り替えることになり，ユーザーにとっては更なる負担を強いられることになるといった問題があった。
そこで本願においては，こうした問題点を解決するためになされたものであり，
その目的は，高出力型のギャップフィラー装置に適した再送信装置を提供することにある。
他の目的は，既設のギャップフィラー装置を安価なコストで高出力型に変更可能な再送信装置を提供することにある。
他の目的は，高出力型のギャップフィラー装置であっても放熱を少なくすることができる再送信装置を提供することにある。
他の目的は，既設のギャップフィラー装置を安価なコストで高出力型に変更しても簡単な構成で過電流の検出が行うことができる再送信装置を提供することにある。
高出力型のギャップフィラー装置に適した再送信装置を備えた再送信システムを提供することにある。
他の目的は，既設のギャップフィラー装置を安価なコストで高出力型に変更可能な再送信装置を備えた再送信システムを提供することにある。
他の目的は，高出力型のギャップフィラー装置であっても放熱を少なくすることができる再送信装置を備えた再送信システムを提供することにある。
他の目的は，既設のギャップフィラー装置を安価なコストで高出力型に変更しても簡単な構成で過電流の検出が行うことができる再送信システムを提供することにある。
【課題を解決するための手段】
【０００６】
上記課題を解決するために，請求項１の発明は，衛星からの電波を受信し，受信した電波より低い第１の周波数帯に変換して出力する受信アンテナと，前記第１の周波数帯を，衛星からの電波より低く前記第１の周波数帯より高い第２の周波数帯に変換並びに処理する信号処理部と，前記信号処理部の出力信号を増幅して出力すると共に電力増幅部の動作用の直流電源を送出するための直流電源生成手段を備えた受信増幅部と，該受信増幅部から離れた場所に設置され，前記受信増幅部からの信号を増幅する電力増幅部と，該電力増幅部の出力信号を送信する送信アンテナとから成り，前記受信増幅部と前記電力増幅部との間に介設された同軸ケーブルには，前記受信増幅器から出力される高周波信号と共に，前記受信増幅部に備えた前記直流電源生成手段において生成された直流電源が伝送され，該直流電源は前記信号処理部において供給するか供給しないかを選択的に制御できるようにした再送信装置において，
前記受信増幅部には，第１の直流電源生成手段と，この直流電源生成手段に接続された第１の抵抗と，該抵抗を介して出力される直流制御電源を通過させるか通過させないかを選択的に切替るための第１の切替手段と，前記直流制御電源を通過し前記高周波信号を阻止する第１のフィルタ回路と前記高周波信号を通過し前記直流制御電源を阻止する第２のフィルタ回路からなり，前記高周波回路と前記直流制御電源とを混合して前記同軸ケーブルに送出するための電源分離フィルタと，前記第１の抵抗と第１の切替手段との相互接続点に接続されて，該接続点の直流制御電源電圧を検出する第１の検出回路と，該第１の検出回路と接続されたパイロットランプ表示回路とパイロットランプとからなる表示回路と，を備え，
前記同軸ケーブルには，前記高周波信号を通過し前記直流制御電源を阻止する第３のフィルタ回路と，前記直流制御電源を通過し前記高周波信号を阻止する第４のフィルタ回路とからなる入力側電源分離フィルタと，前記第４のフィルタ回路の出力と接地線との間に直列に接続された第２及び第３の抵抗と，前記第４のフィルタ回路の出力と前記第２の抵抗の相互接続点に接続されて，該接続点における直流制御電圧を検出する第２の検出回路と，前記第２の抵抗と前記第３の抵抗との相互接続点と接地線との間に接続され，前記第２の抵抗と前記第３の抵抗との相互接続点と接地線とを短絡するか開放するかを切替する第３の切替手段と，第２の直流電源生成手段と，この直流電源生成手段に接続された第４の抵抗と，該抵抗を介して出力される直流駆動電源を通過するか通過しないかを切替える第２の切替手段と，前記第４の抵抗に印加される電圧を検出する過電流検出回路と，前記第３のフィルタ回路の出力に接続されて高周波信号を通過し前記直流駆動電源を阻止する第５のフィルタ回路と，前記第２の切替手段の出力に接続されて，前記直流駆動電源を通過し前記高周波信号を阻止する第６のフィルタ回路とからなり，前記高周波信号と前記直流駆動電源とを混合して出力する出力側電源分離フィルタとからなる電源部を介設され，
該電源部における前記第２の切替手段は，前記第２の検出回路において前記第４のフィルタ回路の出力と前記第２の抵抗の相互接続点における直流制御電圧が第２の基準電圧値より高いか低いかを検出・判定し，この直流制御電圧が基準値を越えないときはＯＦＦ，基準値を越えたときはＯＮとすることによって前記過電流検出回路を介して供給される前記第２の直流電源生成手段において生成された直流駆動電源を通過するように構成されると共に，前記記第３の切替手段は，前記過電流検出回路において前記第４の抵抗に印加される電圧が基準値より高いか低いかを検出・判定し，この印過電圧が基準値を超えないときはＯＦＦ，基準値を越えた時はＯＮとすることにより前記第２の抵抗と前記第３の抵抗との相互接続点と接地線と短絡するように構成され，前記受信増幅器における前記第１の検出回路は，前記第１の抵抗の出力における直流制御電圧が第１の基準電圧値より高いか低いかを検出・判定し，この判定結果に基づいて前記表示回路を駆動するように構成した。
【０００７】
請求項２の発明は，請求項１に記載の再送信装置において，前記第２の基準電圧値は，前記前記第３の切替手段が前記第２の抵抗と前記第３の抵抗との相互接続点と接地線とを短絡した状態における直流制御電圧より低い電圧であり，
前記第１の基準電圧値は，前記前記第３の切替手段が前記第２の抵抗と前記第３の抵抗との相互接続点と接地線とを開放した状態における直流制御電圧より低い電圧であって，前記第３の切替手段が前記第２の抵抗と前記第３の抵抗との相互接続点と接地線とを短絡した状態における直流制御電圧より高い電圧であるように構成した。
【０００８】
請求項３の発明は，請求項１又は請求項２に記載の再送信装置において，前記第２の基準電圧値は，前記第３の切替手段が前記第２の抵抗と前記第３の抵抗との相互接続点と接地線とを開放した状態における直流制御電圧の略４分の１であり，
前記第３の切替手段が前記第２の抵抗と前記第３の抵抗との相互接続点と接地線とを短絡した状態における直流制御電圧は，前記前記第３の切替手段が前記第２の抵抗と前記第３の抵抗との相互接続点と接地線とを開放した状態における直流制御電圧の略２分の１であり，
前記第１の基準電圧値は，前記前記第３の切替手段が前記第２の抵抗と前記第３の抵抗との相互接続点と接地線とを開放した状態における直流制御電圧の略４分の３である，ように構成した。
【０００９】
請求項４の発明は，請求項１乃至請求項３の何れかに記載の再送信装置において，前記受信増幅部は複数の出力部を有した分配増幅部であるように構成され，前記受信増幅部から離れた場所に設置される複数の電力増幅部と夫々１対１で同軸ケーブルを介して接続できるように構成した。
【００１０】
請求項５の発明は，衛星からの電波を受信し，受信した電波より低い第１の周波数帯に変換して出力する受信アンテナと，前記第１の周波数帯を，衛星からの電波より低く前記第１の周波数帯より高い第２の周波数帯に変換並びに処理する信号処理部と，前記信号処理部の出力信号を増幅して出力すると共に電力増幅部の動作用の直流電源を送出するための直流電源生成手段を備えた受信増幅部と，該受信増幅部から離れた場所に設置され，前記受信増幅部からの信号を増幅する電力増幅部と，該電力増幅部の出力信号を送信する送信アンテナとから成り，前記受信増幅部と前記電力増幅部との間に介設された同軸ケーブルには，前記受信増幅器から出力される高周波信号と共に，前記受信増幅部に備えた前記直流電源生成手段において生成された直流電源が伝送され，該直流電源は前記信号処理部において供給するか供給しないかを選択的に制御できるようにした再送信システムにおいて，
請求項１乃至請求項４に記載の何れかに記載の再送信装置を用いて再送信システムを構成した。
【発明の効果】
【００１１】
請求項１の発明によれば，衛星からの電波を受信し，受信した電波より低い第１の周波数帯に変換して出力する受信アンテナと，前記第１の周波数帯を，衛星からの電波より低く前記第１の周波数帯より高い第２の周波数帯に変換並びに処理する信号処理部と，前記信号処理部の出力信号を増幅して出力すると共に電力増幅部の動作用の直流電源を送出するための直流電源生成手段を備えた受信増幅部と，該受信増幅部から離れた場所に設置され，前記受信増幅部からの信号を増幅する電力増幅部と，該電力増幅部の出力信号を送信する送信アンテナとから成り，前記受信増幅部と前記電力増幅部との間に介設された同軸ケーブルには，前記受信増幅器から出力される高周波信号と共に，前記受信増幅部に備えた前記直流電源生成手段において生成された直流電源が伝送され，該直流電源は前記信号処理部において供給するか供給しないかを選択的に制御できるようにした再送信装置において，
前記受信増幅部には，第１の直流電源生成手段と，この直流電源生成手段に接続された第１の抵抗と，該抵抗を介して出力される直流制御電源を通過させるか通過させないかを選択的に切替るための第１の切替手段と，前記直流制御電源を通過し前記高周波信号を阻止する第１のフィルタ回路と前記高周波信号を通過し前記直流制御電源を阻止する第２のフィルタ回路からなり，前記高周波回路と前記直流制御電源とを混合して前記同軸ケーブルに送出するための電源分離フィルタと，前記第１の抵抗と第１の切替手段との相互接続点に接続されて，該接続点の直流制御電源電圧を検出する第１の検出回路と，該第１の検出回路と接続されたパイロットランプ表示回路とパイロットランプとからなる表示回路と，を備え，
前記同軸ケーブルには，前記高周波信号を通過し前記直流制御電源を阻止する第３のフィルタ回路と，前記直流制御電源を通過し前記高周波信号を阻止する第４のフィルタ回路とからなる入力側電源分離フィルタと，前記第４のフィルタ回路の出力と接地線との間に直列に接続された第２及び第３の抵抗と，前記第４のフィルタ回路の出力と前記第２の抵抗の相互接続点に接続されて，該接続点における直流制御電圧を検出する第２の検出回路と，前記第２の抵抗と前記第３の抵抗との相互接続点と接地線との間に接続され，前記第２の抵抗と前記第３の抵抗との相互接続点と接地線とを短絡するか開放するかを切替する第３の切替手段と，第２の直流電源生成手段と，この直流電源生成手段に接続された第４の抵抗と，該抵抗を介して出力される直流駆動電源を通過するか通過しないかを切替える第２の切替手段と，前記第４の抵抗に印加される電圧を検出する過電流検出回路と，前記第３のフィルタ回路の出力に接続されて高周波信号を通過し前記直流駆動電源を阻止する第５のフィルタ回路と，前記第２の切替手段の出力に接続されて，前記直流駆動電源を通過し前記高周波信号を阻止する第６のフィルタ回路とからなり，前記高周波信号と前記直流駆動電源とを混合して出力する出力側電源分離フィルタとからなる電源部を介設され，
該電源部における前記第２の切替手段は，前記第２の検出回路において前記第４のフィルタ回路の出力と前記第２の抵抗の相互接続点における直流制御電圧が第２の基準電圧値より高いか低いかを検出・判定し，この直流制御電圧が基準値を越えないときはＯＦＦ，基準値を越えたときはＯＮとすることによって前記過電流検出回路を介して供給される前記第２の直流電源生成手段において生成された直流駆動電源を通過するように構成されると共に，前記記第３の切替手段は，前記過電流検出回路において前記第４の抵抗に印加される電圧が基準値より高いか低いかを検出・判定し，この印過電圧が基準値を超えないときはＯＦＦ，基準値を越えた時はＯＮとすることにより前記第２の抵抗と前記第３の抵抗との相互接続点と接地線と短絡するように構成され，前記受信増幅器における前記第１の検出回路は，前記第１の抵抗の出力における直流制御電圧が第１の基準電圧値より高いか低いかを検出・判定し，この判定結果に基づいて前記表示回路を駆動するように構成したので
高出力型のギャップフィラー装置を構成しようとした場合，電流容量の増大に対応できるように受信増幅部と電力増幅部との間に介設された同軸ケーブルに専用の電源部を挿設することによって，従来からある受信アンテナ，信号処理部，受信増幅部を利用して高出力化が簡単且つ安価に構成できるのである。
更に加えて，前記電源部を挿設しても，信号処理部と受信増幅部に対して僅かな回路変更及びソフトの修正をすることによって，従来から有する特長である，信号処理部において受信増幅部から電力増幅部に直流電源供給ＯＮ／ＯＦＦの制御が出来る特長を生かしたまま，この直流電源を制御信号として利用することによって，電源部に備えた第２の直流電源生成手段から電力増幅部に電源供給の制御を行う事が出来ると共に，加えてこの電源供給時における過電流をも検出してその状態を表示できるようにしたので，新たに高出力型のギャップフィラー装置を設置する場合や，既存のギャップフィラー装置を用いて，高出力型のギャップフィラーシステムの構築が簡単且つ安価に実現できるのである。
【００１２】
請求項２の発明によれば，請求項１に記載の再送信装置において，前記第２の基準電圧値は，前記前記第３の切替手段が前記第２の抵抗と前記第３の抵抗との相互接続点と接地線とを短絡した状態における直流制御電圧より低い電圧であり，
前記第１の基準電圧値は，前記前記第３の切替手段が前記第２の抵抗と前記第３の抵抗との相互接続点と接地線とを開放した状態における直流制御電圧より低い電圧であって，前記第３の切替手段が前記第２の抵抗と前記第３の抵抗との相互接続点と接地線とを短絡した状態における直流制御電圧より高い電圧であるように構成したので，
各基準電圧値が相互に重なることがないので，確実に直流駆動電源のＯＮ／ＯＦＦ制御，過電流の検出及び表示が出来るのである。
【００１３】
請求項３の発明によれば，請求項１又は請求項２に記載の再送信装置において，前記第２の基準電圧値は，前記第３の切替手段が前記第２の抵抗と前記第３の抵抗との相互接続点と接地線とを開放した状態における直流制御電圧の略４分の１であり，
前記第３の切替手段が前記第２の抵抗と前記第３の抵抗との相互接続点と接地線とを短絡した状態における直流制御電圧は，前記前記第３の切替手段が前記第２の抵抗と前記第３の抵抗との相互接続点と接地線とを開放した状態における直流制御電圧の略２分の１であり，
前記第１の基準電圧値は，前記前記第３の切替手段が前記第２の抵抗と前記第３の抵抗との相互接続点と接地線とを開放した状態における直流制御電圧の略４分の３である，ように構成したので，
直流電源生成手段の出力電圧，抵抗等のバラツキを考慮しても各電圧が相互に重なることもないので，確実に直流駆動電源のＯＮ／ＯＦＦ制御，過電流の検出及び表示が出来るのである。
【００１４】
請求項４の発明によれば，請求項１乃至請求項３の何れかに記載の再送信装置において，前記受信増幅部は複数の出力部を有した分配増幅部であるように構成され，前記受信増幅部から離れた場所に設置される複数の電力増幅部と夫々１対１で同軸ケーブルを介して接続できるように構成したので，
衛星からの電波が直接届かないエリアの形状が複雑で，再送信のための送信アンテナを複数箇所に設置する必要がある場合のシステムを構成するための高出力型の再送信装置を提供できる。
【００１５】
請求項５の発明によれば，衛星からの電波を受信し，受信した電波より低い第１の周波数帯に変換して出力する受信アンテナと，前記第１の周波数帯を，衛星からの電波より低く前記第１の周波数帯より高い第２の周波数帯に変換並びに処理する信号処理部と，前記信号処理部の出力信号を増幅して出力すると共に電力増幅部の動作用の直流電源を送出するための直流電源生成手段を備えた受信増幅部と，該受信増幅部から離れた場所に設置され，前記受信増幅部からの信号を増幅する電力増幅部と，該電力増幅部の出力信号を送信する送信アンテナとから成り，前記受信増幅部と前記電力増幅部との間に介設された同軸ケーブルには，前記受信増幅器から出力される高周波信号と共に，前記受信増幅部に備えた前記直流電源生成手段において生成された直流電源が伝送され，該直流電源は前記信号処理部において供給するか供給しないかを選択的に制御できるようにした再送信システムにおいて，
請求項１乃至請求項４に記載の何れかに記載の再送信装置を用いて再送信システムを構成したので，
高出力型の再送信システムが簡単且つ安価に構築できる。
【発明を実施するための最良の形態】
【００１６】
以下に，本発明を具体化した実施形態の例を，図面を基に詳細に説明する。
図１は本願に係る再送信装置の概略ブロック図である。図２は本願に係る再送信装置を用いた具体的な使用例を示し，図３に本願に係る再送信装置の詳細を示すブロック図を示す。図４は本願に係る再送信装置の異なる実施例を用いた具体的な使用例を示し，図５に図４に係る再送信装置の詳細を示すブロック図を示す。
【実施例１】
【００１７】
図１乃至図３を用いて本願に係る再送信装置の好適な例として，衛星を用いたディジタル放送用のギャップフィラー装置について説明する。
図において１は衛星１００からの電波を受信して，該電波より低い第１の周波数帯である中間周波数帯に変換して出力するためのコンバーター１ａを備えた受信アンテナである。尚，本願の実施例では衛星からの信号は１２ＧＨｚ（Ｋｕバンド）の信号であり，当該信号を前記中間周波数帯である９５０〜１４５０ＭＨｚ帯に変換するように構成されており，この帯域が請求項に示す第１の周波数帯を示す。
次に１０は信号処理部であり，前記受信アンテナ１のコンバーターからの出力信号である前記第１の周波数帯の信号を，前記衛星１００からの電波の周波数帯より低く，前記第１の周波数帯より高い第２の周波数帯に周波数変換すると共に，入力された信号の変調方式を再送信に適した変調方式に変換処理するためのものである。更にこの信号処理部１０には後続の受信増幅器２０，電源部３０，電力増幅器４０等に対して制御・監視できる図示されていない監視装置を備えており，専用線５を介して受信増幅部２０と接続されている。
尚，本願の実施例では前記第１の周波数帯のＱＰＳＫ変調された信号をＣＤＭ変調に信号処理すると共に，２．６ＧＨｚ帯（Ｓバンド）に周波数変換するように構成されており，この帯域が請求項に示す第２の周波数帯である。
【００１８】
次に信号処理部１０から出力された第２の周波数帯の信号（以下，特に明示しない限り高周波信号と記載する。）は受信増幅部２０の入力端子Ａｉｎに入力される。この受信増幅部２０は前記高周波信号をトランジスタなどで形成された高周波増幅回路２２において所定レベルまで増幅するためのものであり，増幅された高周波信号は出力端子Ａｏｕｔから出力される。更にこの受信増幅部２０には直流電源生成手段２４が備えられており，外部の商用電源をＡＣプラグ２０ａから取り入れて直流電源を生成し，該直流電源を受信増幅部２０に収納した増幅回路２２等ばかりでなく，出力端子Ａｏｕｔから同軸ケーブル２を介して後続の電源部３０に電源供給するように構成されている。
尚，この直流電源生成手段２４が請求項に記載の第１の直流電源生成手段であり，ここで生成された直流電源に対して出力端子Ａｏｕｔから出力される直流電源が請求項に記載の直流制御電源を示す。
【００１９】
次に本願の特長である電源部３０について説明する。この電源部３０では前記受信増幅部２０の出力端子Ａｏｕｔから出力され，同軸ケーブル２を介して入力端子ＩＮに入力された高周波信号を通過して出力端子ＯＵＴに出力するように構成されている。更にはこの電源部３０には外部の商用電源をＡＣプラグ３０ａから取り入れて直流電源を生成し，同軸ケーブルを介して後続の電力増幅部４０を駆動するための直流電源生成手段３４を備えており，この生成手段３４において生成された直流電源を前記高周波信号と混合し，同軸ケーブル２を介して後続の電力増幅部４０に供給するように構成されている。
尚，この電源部３０に備えた直流電源生成手段３４が請求項に記載の第２の直流電源生成手段であり，ここで生成された直流電源に対して出力端子ＯＵＴから出力される直流電源が請求項に記載の直流駆動電源を示し，この直流駆動電源と前記受信増幅部２０から出力される直流制御電源との関係については後に詳述する。
【００２０】
次に同軸ケーブル２を介して送られてきた高周波信号は電力増幅部４０の入力端子Ｐｉｎから入力された後にパワーＩＣ等で構成された増幅回路４２において所定レベルまで増幅された後に出力端子Ｐｏｕｔから出力される。更にＰｏｕｔには送信用アンテナ３が接続されており，該送信アンテナから２．６ＧＨｚ帯の信号が送信されるのである。
尚，本願に示す実施例では前記電力増幅部４０と送信アンテナ３とは別体に構成し，各機器間を同軸ケーブルで接続する例を示したが，前記電力増幅部４０と前記送信アンテナ３とを各機器に備えたコネクタ同士で直接接続したり一体的に形成したりしてもよく，この様に構成したものは前記電力増幅部４０と送信アンテナ３との間に介設された同軸ケーブルの伝送損失を低減することが出来るのである。
【００２１】
以上に示す各機器は図２の具体的な使用例によく示されるように，受信アンテナ１は衛星１００からの信号の見通しの良い場所に設置され，同軸ケーブルを介して信号処理部１０，受信増幅部２０，電源部３０がビル９０屋上に設置される。
送信アンテナ３は，ビル９０によって発生する衛星からの信号に対するビル陰になる部分に，２．６ＨＧｚ帯の信号を再送信する必要があり，ビル屋上におけるビル影が見通せるビル屋上端部に設置される。更に送信アンテナ３の指向特性をビル影となる部分のサービスエリアに対応するように，やや下方向を向けて設置されることもあり，送信アンテナ３を設置工事は非常に危険なものと成る，また，電力増幅部４０と送信アンテナ３とは伝送損失を減らすために近接させて配設されることになるので，送信アンテナ３と電力増幅部４０とに対してメンテナンスを行う場合も危険を伴うものである。更にビル９０等の屋上に立ち入るにはビル９０の管理者等の許可を必要とすることも必要となり，容易に立ち入ることが難しい。
【００２２】
そこで，送信アンテナ３や電力増幅部４０の設置工事の時点であっても，送信アンテナ３や電力増幅部４０に対する初期設定も動作確認も信号処理部からおこなうようにすれば，危険なビル屋上における設置工事の工程削減ができるのである。
つまり，例えば電力増幅部４０への直流電源の供給について考えると，前記受信増幅部２０に，該受信増幅部２０の出力端子Ａｏｕｔに直流電源を出力するか出力しないかを選択的に切替えることができる切替スイッチＳＷ１を備えておいて，前記電力増幅部４０と送信アンテナ３とを設置し終わったら，前記切替スイッチＳＷ１の切替操作によって電源供給できるようにすれば良く，これによって送信アンテナ３近傍での危険な作業工程を削減できるように構成されているのが良いのである。
更に受信増幅部２０に備えられた直流電源生成手段制御２４を動作させるか，動作させないかの制御を，受信点の近傍におかれる前記信号処理部１０からの制御信号を専用線５を介して行えるように構成することによって，例えばビルの屋上に持ち込んだパーソナルコンピューターの操作によって信号処理部１０を介して前記直流電源生成手段２４の監視・制御をできるように構成したり，例えば信号処理部１０から電話回線等の所定の通信網を介して遠隔地に設けた保守センター（図示されていない。）からでも直流電源生成手段２４を監視・制御できるようにしたりすることによって，取付作業ばかりでなくメンテナンスがより安全に行えるようにできるのが良いのである。
尚，このような監視・制御できる項目は前記直流電源ばかりで無く，例えば送信出力レベルを監視して，出力レベルが変動したらレベルを一定に保つようにゲインコントロールを制御できるようにしたり，各部の電流や温度を監視できるようにしたりしてもよく，実施例に限定されるものではない。
【００２３】
このように構成されたギャップフィラー装置の中で前記電源部３０を介設したことが本願の特長である。この電源部３０は，高出力型のギャップフィラー装置を提供するために，前記電力増幅部４０に直流駆動電源を供給するための電流容量に余裕を持たせた第２の直流電源生成手段３４を備えた電源供給部であると共に，該電源部３０を受信増幅部２０と電力増幅部４０との間の同軸ケーブル２に介在させても，電力増幅部４０に対する前記直流駆動電源のＯＮ／ＯＦＦ制御を，通常の操作と同等の操作で前記信号処理部１０から行う事ができるばかりでなく，更に加えて前記直流駆動電源の電流を検知し，この電流が規定値を超えて異状な値を示した時にその異状状態を検知するばかりでなく，例えば受信増幅部２０に供えた表示手段に異状様態である旨の表示を行う事が出来るように構成されており，設置場所の環境変化やサービスエリアの拡充に対応するために，高出力型のギャップフィラー装置を新たに設置するような場合にも適したものとなる。
【００２４】
また，このような新規設置の場合ばかりでなく，既存のギャップフィラーシステムを用いて送信アンテナ３からの送信電力を更に高出力にするといった方法に対しても有効である。即ち高出力化に対応するためには電力増幅部４０の高出力化が必要となり，この結果，従来の受信増幅器２０に備えた直流制御電源に電流容量不足となる問題に対して，本願の電源部３０を用いれば，受信増幅器２０に備えた第１の直流電源生成手段２４を新たに設計しなおす必要がなく，場合によって電流容量の増大に対応するために前記直流電源生成手段２４を収納するスペースを大きくしたり，このために放熱の必要性が生じたりすることによって，筐体の外形寸法や放熱フィン等の形状を見直したりする必要がなく，金型作成等の開発費がかからないばかりでなく，既設のギャップフィラーシステムに対して全てを変更するといった，ユーザーにとって更なる負担を強いることがないのであるのである。
つまり，本願の構成の装置を用いることにより既存のギャップフィラー装置を応用して，通常通り信号処理部１０において電力増幅部４０用の直流駆動電源のＯＮ／ＯＦＦ制御が出来るばかりでなく，該直流駆動電源に対する過電流の検出も出来る，高出力型ギャップフィラーシステムが簡単且つ安価に出来るのである。以下にその構成の詳細について順番に説明する。
【００２５】
図３において，信号処理部１０から同軸ケーブルを介して送出された高周波信号は受信増幅部２０の入力端子Ａｉｎから入力され，例えばハイパスフィルタ等のフィルタ回路２１を通過した後に，トランジスタ等から構成された増幅回路２２で所定レベルまで増幅される。この増幅された信号は，この信号を通過すると共に，第１の直流電源生成手段２４において生成される直流電源を阻止する第２のフィルタ回路２３ｂを通過して受信増幅部２０の出力端子Ａｏｕｔに出力される。
また受信増幅部２０に備えた第１の直流電源生成手段２４は，ＤＣ  ＯＮ／ＯＦＦ信号入力端子Ｔ１から専用線５を介して入力された制御信号（前記信号処理部から送られた信号）に基づいて前記直流電源を出力するか，出力しないかを制御できるように構成されている。
この第１の直流電源生成手段２４の出力には抵抗Ｒ１を介して例えば切替スイッチ等からなる第１の切替手段ＳＷ１が接続されている。この抵抗Ｒ１は請求項に示す第１の抵抗であり，特に記載しない限り以下には抵抗Ｒ１と記載する。更にこの第１の切替手段ＳＷ１の出力には，前記抵抗Ｒ１の出力である直流制御電源を通過し前記高周波信号を阻止する第１のフィルタ回路２３ａの入力が接続されている。
この第１のフィルタ回路２３ａと前記第２のフィルタ回路２３ｂとで，前記高周波回路と前記直流制御電源とを混合する電源分離フィルタ２３を構成している。
【００２６】
また，前記抵抗Ｒ１と前記第１の切替手段ＳＷ１との相互接続点には，該接続点における前記直流制御電圧の電圧値を検出する第１の検出回路２５が接続されている。この第１の検出回路２５は，前記抵抗Ｒ１の出力における直流制御電圧が第１の基準電圧値より高いか低いかを検出・判定し，この判定結果に基づいてこの第１の検出回路２５の出力に接続された表示回路２６を駆動するように構成されている。
この表示回路２６について説明する。表示回路２６はゲート回路２６ａと駆動回路２６ｂと表示手段２６ｃとからなる。前記ゲート回路２６ａには前記第１の検出回路２５によって判定された検出信号（例えば前記直流制御電圧が第１の基準電圧より高いと判断された場合はＨ信号，第１の基準電圧を超えないと判断されたのならＬ信号）と，前記ＤＣ  ＯＮ／ＯＦＦ制御信号（例えばＯＮの場合はＨ信号，ＯＦＦの場合はＬ信号）が入力され，この入力の状態によって例えばＬＥＤ等で構成された表示手段を駆動する。一例として，前記検出信号がＨ，前記制御信号がＨならば表示手段は消灯。前記検出信号がＬ，前記制御信号がＨならば表示手段は点灯。前記検出信号がＬ，前記制御信号がＬならば表示手段は消灯とするように構成されている。このように構成された場合は信号処理部１０からのＤＣ  ＯＮ／ＯＦＦ信号がＯＮ状態であって，前記直流制御電源が規定より低い場合に表示手段が点灯することになり，電源供給に異状があることを表示することになる。
尚，前記駆動回路２６ｂと表示手段との相互接続点にける信号の状態を状態表示信号端子Ｔ２から出力できるように構成しておいて，駆動回路２６ｂの出力状態（言い換えれば，直流制御電源が規定値を出力しているか，出力していないか）を信号処理部１０において監視できるようにしてもよい。
【００２７】
次に電源部３０について説明する。前記受信増幅部２０から出力された高周波信号と直流制御電源は同軸ケーブル２を介して電源部３０の入力端子ＩＮから入力される。高周波信号の伝送経路について考えると，この高周波信号を通過し前記直流制御電源を阻止する第３のフィルタ回路３１ｂと，該第３のフィルタ回路の出力に接続されて前記高周波信号を通過し直流電源を阻止する第５のフィルタ回路３３ｂとを介して出力端子ＯＵＴから出力される。
次に前記直流制御電源について考える。この直流制御電源は該直流制御電源を通過し前記高周波信号を阻止する第４のフィルタ回路３１ａを介して，前記直流制御電源を分圧するための，前記第４のフィルタ回路３１ａの出力と接地線との間に直列に接続された第２の抵抗Ｒ２及び第３の抵抗Ｒ３（以下，抵抗Ｒ２，抵抗Ｒ３と記載する。）に接続されている。
尚，前記第３のフィルタ回路３１ｂと第４のフィルタ回路３１ａとで請求項に記載の電源部の入力側電源分離フィルタ３１を構成している。
【００２８】
更に，前記第４のフィルタ回路３１ａの出力と前記抵抗Ｒ２の相互接続点には該接続点における前記直流制御電圧を検出する第２の検出回路３５を介して第２の切替手段ＳＷ２が接続されている。
この第２の切替手段ＳＷ２は，この電源部３０に備えられた第２の直流電源生成手段３４において生成され，この生成手段３４から出力される電流を検出するための第４の抵抗Ｒ４（以下，抵抗Ｒ４と記載する。）を介して出力された直流駆動電源を通過させるか通過させないかを選択的に切替可能に構成されたものであり，例えばリレーで構成されている。
【００２９】
このＳＷ２の切替基準は前記第２の検出回路３５によるものであり，該第２の検出回路３５は，前記第４のフィルタ回路３１ａの出力と抵抗Ｒ２との相互接続点における前記直流制御電圧（即ち，前記受信増幅部２０から出力される電源電圧）が，第２の基準電圧値より高いか低いかを検出・判定し，この直流制御電圧が基準電圧値を越えないときは前記第２の切替手段をＯＦＦ，基準値を越えたときは前記第２の切替手段をＯＮとすることによって，前記抵抗Ｒ４を介して供給される前記第２の直流電源生成手段３４において生成された直流駆動電源を通過するように構成されている。
この第２の切替手段ＳＷ２を通過した直流駆動電源は，該第２の切替手段ＳＷ２の出力に接続されて，前記直流駆動電源を通過し前記高周波信号を阻止する第６のフィルタ回路３３ａを通過した後に，前記第５のフィルタ回路３３ｂを通過した前記高周波信号と混合されて出力端子ＯＵＴから出力される。
尚，前記第５のフィルタ回路３３ｂと第６のフィルタ回路３３ａとで請求項に記載の電源部の出力側電源分離フィルタ３３を構成している。
【００３０】
更に前記抵抗Ｒ２と前記抵抗Ｒ３との相互接続点と接地線との間には，前記抵抗Ｒ２と前記抵抗Ｒ３との相互接続点と接地線とを短絡するか開放するかを選択的に切替えることができる第３の切替手段ＳＷ３が備えられている。
この第３の切替手段ＳＷ３の切替基準は，該第３の切替手段ＳＷ３と前記抵抗Ｒ４との間に介設され，該抵抗Ｒ４に流れる電流（言い換えれば抵抗４の両端に印加される電圧）が規定値を超えるか超えないかを検出・判定する過電流検出回路３７により，この印過電圧が基準値を超えないときは前記切替手段ＳＷ３をＯＦＦにし，基準値を越えた時はＯＮとすることにより前記抵抗Ｒ２と前記抵抗Ｒ３との相互接続点と接地線と短絡するように構成されている。これによって抵抗Ｒ１，抵抗Ｒ２，抵抗Ｒ３による分圧比が替わり前記電源部３０に入力される直流制御電源を変化させるのである。
このように構成された電源部３０からは，通常状態において前記第２の直流電源生成手段３４において生成された直流駆動電源と前記高周波信号とが出力端子ＯＵＴから電力増幅部４０に送出される。
【００３１】
電力増幅部４０においては前記直流駆動電源を通過し前記高周波信号を阻止する第７のフィルタ回路４１ａと，前記高周波信号を通過し前記直流駆動電源を阻止する第８のフィルタ回路４１ｂとから成る電源分離フィルタ４１を介して高周波信号と直流駆動電源とは分離され，前記高周波信号は増幅回路４２において適宜電力増幅された後に送信アンテナ３から送出されるのである。
【００３２】
次に前記第１の切替手段ＳＷ１と前記第２の切替手段ＳＷ２と前記第２の切替手段ＳＷ３との関係について更に詳細を説明する。
初期状態においては，前記信号処理部１０からＤＣ  ＯＮ信号を送出して受信増幅部２０に備えられた第１の直流電源生成手段２４の出力をＯＮにする。更にこの状態で第１の切替手段ＳＷ１をＯＮに切替えて，直流電源を受信増幅器２０から出力するように操作する。このとき抵抗Ｒ１を介して出力された信号が直流制御電圧Ｖｃである。
この直流制御電圧Ｖｃは同軸ケーブル２を介して電源部３０に入力される。
この電源部３０に入力される直流制御電圧Ｖｃが前記第４のフィルタ回路３１ａと抵抗Ｒ２との相互接続点における電圧でもある。従ってこの電圧Ｖｃは前記第２の検出回路３５において検出されることになる。このとき前記第２の検出回路３５の検出・判定に係る第２の基準電圧値をＶｄ２（Ｖｄ２＜Ｖｃ）としておけば，これに基づいて前記第２の切替手段ＳＷ２はＯＮとなり，電源部３０に備えられた第２の直流電源生成手段３４において生成され抵抗Ｒ４を介して直流駆動電源を電源部３０から出力する。
尚，第３の切替手段ＳＷ３は初期状態においてはＯＦＦ状態にあり，前記直流制御電源Ｖｃは前記第１の直流電源生成手段２４から出力された直流電源を抵抗Ｒ１と抵抗Ｒ２及び抵抗Ｒ３とで分圧した値となる
【００３３】
次に，例えば電源部３０に接続された同軸ケーブル２に異状が発生したり，電力増幅部４０に異状が発生したりした場合であって，電源部３０から出力される直流駆動電源に過電流が発生した場合を考える。この場合，抵抗Ｒ４に流れる電流が増大することにより，該抵抗Ｒ４における電圧降下が大きくなる。この電圧降下の大きさを過電流検出回路において検出し，この検出した結果が所定の基準値を超えた場合，これに基づいて前記第３の切替手段ＳＷ３をＯＮの状態に切替えるのである。これによって前記抵抗Ｒ２の出力は接地線と接続されることになるので，前記直流制御電源Ｖｓは前記第１の直流電源生成手段２４から出力された直流電源を前記抵抗Ｒ１と前記抵抗Ｒ２とで分圧した値となる。このときの前記直流制御電源の値Ｖｓは前記第２の基準電圧値Ｖｄ２より大きい電圧値（Ｖｄ２＜Ｖｓ＜Ｖｃ）となるように構成されている。
更に，前記受信増幅部２０に備えた前記第１の検出回路２４の基準電圧値を，過電流が流れた時の前記直流制御電源Ｖｓより高く，正常な状態における直流制御電源Ｖｃより低い値Ｖｄ１（Ｖｓ＜Ｖｄ１＜Ｖｃ）としておけば，前記直流駆動電源が過電流となることによって，前記直流制御電源がＶｓに低下することを検出し，これに基づいて前記表示回路を駆動するのである。
【００３４】
本願の実施例によれば，例えば抵抗Ｒ１＝１ｋΩ，抵抗Ｒ２＝８．２ｋΩ，抵抗Ｒ３＝８２０Ωとし，前記第１の直流電源生成手段２４の出力電圧＝＋１２Ｖの場合において，正常な状態における直流制御電圧Ｖｃ≒１０．８Ｖ，第２の基準電圧Ｖｄ２≒２．７Ｖ，過電流が流れた時の直流制御電圧Ｖｓ≒５．４Ｖ，第１の基準電圧Ｖｄ１≒８Ｖとした。
このように，本願の電源部３０においては，該電源部３０の入力電圧，即ち受信増幅部２０から出力される直流制御電源Ｖｃの略４分の１の電圧を検知したのならば，電源部３０に形成した第２の直流電源生成回路３４から後続の電力増幅器４０に向けて直流駆動電源を供給する。この直流駆動電源に過電流が流れたことを検知したのなら前記第３の切替手段ＳＷ３で直流制御電源をＶｓ（直流制御電源の略２分の１）とする。
更に前記受信増幅部２０においては，前記第１の検出手段２５において，第１の基準電圧値Ｖｄ１（直流制御電圧Ｖｃの略４分の３）に基づいて前記直流制御電源を常時監視する，というように各値を設定すれば，直流電源生成手段の出力電圧，抵抗等のバラツキを考慮しても各電圧が相互に重なることもないので，確実に直流駆動電源のＯＮ／ＯＦＦ制御，過電流の検出及び表示が出来るのである。
【００３５】
本願の第２の実施形態として図４，５を参照して説明する。尚，以下の説明では，上記第１の実施形態と同様の構成要素については同一符号を付与し，詳細な説明は省略する。
この実施例は受信増幅器２０に分配器２８を備えて分配増幅器として構成され，衛星からの電波が直接届かないエリアの形状が複雑で，再送信のための送信アンテナを複数箇所に設置する必要がある場合のシステムを構成するためのものであり，基本的な構成は第１の実施形態と同様である。
【００３６】
このように本発明によれば，高出力型のギャップフィラー装置を構成しようとした場合，電流容量の増大に対応できるように受信増幅部２０と電力増幅部４０との間に介設された同軸ケーブル２に専用の電源部３０を挿設することによって，従来からある受信アンテナ１，信号処理部１０，受信増幅部２０を利用して高出力化が簡単且つ安価に構成できるのである。
更に加えて，前記電源部３０を挿設しても，信号処理部１０と受信増幅部２０に対して僅かな回路変更及びソフトの修正をすることによって，従来から有する特長である，信号処理部１０において受信増幅部２０から電力増幅部４０に直流電源供給ＯＮ／ＯＦＦの制御が出来る特長を生かしたまま，この直流電源を制御信号として利用することによって，電源部３０に備えた直流電源生成手段３４から電力増幅部４０に電源供給の制御を行う事が出来ると共に，加えてこの電源供給時における過電流をも検出してその状態を表示できるようにしたので，新たに高出力型のギャップフィラー装置を設置する場合や，既存のギャップフィター装置を用いて，高出力型のギャップフィラーシステムの構築が簡単且つ安価に実現できるのである。
尚，本発明は上記実施の形態に限定されるものではなく，本発明の趣旨を逸脱しない範囲で各部の構成を適宜に変更して実施することも可能である。
【図面の簡単な説明】
【００３７】
【図１】本願に係る再送信装置の概略ブロック図である。
【図２】本願に係る再送信装置を用いた具体的な使用例を示す。
【図３】本願に係る再送信装置の詳細を示すブロック図を示す。
【図４】本願に係る再送信装置の異なる実施例を用いた具体的な使用例を示す。
【図５】図４に係る再送信装置の詳細を示すブロック図を示す。
【符号の説明】
【００３８】
１…受信アンテナ，２…同軸ケーブル，３…送信アンテナ，５…伝送線，１０…信号処理部，２０…受信増幅部，２０ａ…ＡＣプラグ，２１…フィルタ回路，２２…増幅回路，２３…電源分離フィルタ，２３ａ…第１のフィルタ回路，２３ｂ…第２のフィルタ回路，２４…第１の直流電源生成手段，２５…第１の検出回路，２６…表示回路，２６ａ…ゲート回路，２６ｂ…駆動回路，２６ｃ…表示手段，２８…分配器，３０…電源部，３０ａ…ＡＣプラグ，３１…入力側電源分離フィルタ，３１ａ…第４のフィルタ回路，３１ｂ…第３のフィルタ回路，３３…出力側電源分離フィルタ，３３ａ…第６のフィルタ回路，３３ｂ…第５のフィルタ回路，３５…第２の検出回路，３７…過電流検出回路，４１…電源分離フィルタ，４１ａ…第７のフィルタ回路，４１ｂ…第８のフィルタ回路，４２…電力増幅回路，，９０…ビル，１００…衛星，Ｒ１・Ｒ２・Ｒ３・Ｒ４…抵抗，ＳＷ１…第１の切替手段，ＳＷ２…第２の切替手段，ＳＷ３…第３の切替手段
【図１】
2006165692.tif 000003
【図２】
2006165692.tif 000004
【図３】
2006165692.tif 000005
【図４】
2006165692.tif 000006
【図５】
2006165692.tif 000007